(57)【要約】【課題】使用者によるＩＤ情報が不要であり、かつ、使用者自身が操作できない携帯端末に固有の番号を利用することにより、セキュリティ管理を十分に考慮した情報通信を可能にする。【解決手段】第１の携帯電話機１は、情報を送信する操作を行うことにより、サブアドレスを用いて通信管理サーバ１０にアクセスし自端末の固有番号を送信する。通信管理サーバ１０は、第１の携帯電話機１からのサブアドレスを用いたアクセスに対して、第１の携帯電話機１の固有番号を確認し、確認した固有番号とサブアドレスを共有する第２の携帯電話機２の固有番号をデータベースから抽出し、抽出した第２の携帯電話機２の固有番号に対して第１の携帯電話機１の固有番号を送信する。第２の携帯電話機２は、送信されてきた固有番号を用いてダイアルアップし、第１の携帯電話機１と接続して情報を受信する。【選択図】　図１
2004040683.tif 000002
【特許請求の範囲】
【請求項１】
通信管理サーバを介して送信側となる端末と受信側となる端末との間で各種情報を通信する情報通信システムにおいて、
前記送信側端末は、
前記通信管理サーバの特定の場所にアクセスするためのサブアドレスと自端末の固有番号とを記憶する記憶手段と、
受信側端末に対して情報を送信する操作を行うことにより、前記サブアドレスを用いて前記通信管理サーバにアクセスし自端末の固有番号を送信する手段とを備え、
前記通信管理サーバは、
それぞれの端末に対して、それぞれの固有番号とアクセスのための共通のサブアドレスとを発行する手段と、
発行したサブアドレスとこのサブアドレスを共有する送信側端末及び受信側端末の固有番号とをデータベースに登録する手段と、
送信側端末から受信側端末に対して情報を送信する操作が行われることにより、前記送信側端末からのサブアドレスを用いたアクセスに対して、送信側端末の固有番号を認証する手段と、
固有番号を認証した送信側端末とサブアドレスを共有する受信側端末を前記データベースを検索して抽出し、抽出した受信側端末の固有番号に対して前記送信側端末の固有番号を送信する手段とを備え、
前記受信側端末は、前記通信管理サーバから送信されてきた前記送信側端末の固有番号を用いてＩＰ接続し、前記送信側端末と接続して情報を受信することを特徴とする通信端末を利用した情報通信システム。
【請求項２】
通信管理サーバを介して送信側となる端末と受信側となる端末との間で各種情報を通信する情報通信システムにおいて、
前記送信側端末は、
前記通信管理サーバの特定の場所にアクセスするためのサブアドレスと自端末の固有番号とを記憶する記憶手段と、
受信側端末に対して情報を送信する操作を行うことにより、前記サブアドレスを用いて前記通信管理サーバにアクセスし自端末の固有番号を送信する手段とを備え、
前記通信管理サーバは、
それぞれの端末に対して、それぞれの固有番号とアクセスのための共通のサブアドレスとを発行する手段と、
発行したサブアドレスとこのサブアドレスを共有する送信側端末及び受信側端末の固有番号とをデータベースに登録する手段と、
送信側端末から受信側端末に対して情報を送信する操作が行われることにより、前記送信側端末からのサブアドレスを用いたアクセスに対して、送信側端末の固有番号を認証する手段と、
固有番号を認証した送信側端末とサブアドレスを共有する受信側端末を前記データベースを検索して抽出し、抽出した受信側端末の固有番号を前記送信側端末に送信する手段とを備え、
前記送信側端末は、前記通信管理サーバから送信されてきた前記受信側端末の固有番号を用いてＩＰ接続し、前記受信側端末と接続して情報を送信することを特徴とする通信端末を利用した情報通信システム。
【請求項３】
通信管理サーバを介して送信側となる端末と受信側となる端末との間で各種情報を通信する情報通信システムにおいて、
前記送信側端末は、
前記通信管理サーバの特定の場所にアクセスするためのサブアドレスと自端末の固有番号とを記憶する手段と、
受信側端末に対して情報を送信する操作を行うことにより、前記サブアドレスを用いて前記通信管理サーバにアクセスし自端末の固有番号と操作信号とを送信する手段とを備え、
前記通信管理サーバは、
それぞれの端末に対して、それぞれの固有番号とアクセスのための共通のサブアドレスとを発行する手段と、
発行したサブアドレスとこのサブアドレスを共有する送信側端末及び受信側端末の固有番号とをデータベースに登録する手段と、
送信側端末からの操作信号とその操作信号に対応する情報とを関連付けて記憶する記憶手段と、
送信側端末から受信側端末に対して情報を送信する操作が行われることにより、前記送信側端末からのサブアドレスを用いたアクセスに対して、送信側端末の固有番号を認証する手段と、
固有番号を認証した送信側端末とサブアドレスを共有する受信側端末を前記データベースを検索して抽出するとともに、送信側端末からの操作信号に対応する情報を前記記憶手段から抽出し、抽出した受信側端末の固有番号に対し、抽出した情報を送信する手段とを備え、
前記受信側端末は、前記通信管理サーバから送信されてきた情報を受信することを特徴とする通信端末を利用した情報通信システム。
【請求項４】
前記受信側端末に各種設備機器の管理及び制御を行うコントローラが接続されており、前記受信側端末は、前記送信側端末から受信した制御信号である情報を前記コントローラに転送することを特徴とする請求項１ないし請求項３のいずれかに記載の通信端末を利用した情報通信システム。
【請求項５】
通信管理サーバを介して送信側端末と受信側端末との間で各種情報を通信する情報通信方法において、
前記通信管理サーバは、サブアドレスとこのサブアドレスを共有する送信側端末及び受信側端末の固有番号とをデータベースに登録しており、
送信側端末において、受信側端末に対し情報を送信する操作を行うことにより、送信側端末が前記サブアドレスを用いて前記通信管理サーバにアクセスし自端末の固有番号を送信する段階と、
前記送信側端末からのサブアドレスを用いたアクセスに対して、前記通信管理サーバが送信側端末の固有番号を認証する段階と、
固有番号を認証した送信側端末とサブアドレスを共有する受信側端末を前記データベースを検索して抽出する段階と、
抽出した受信側端末の固有番号に対して前記送信側端末の固有番号を送信する段階と、
送信されてきた前記送信側端末の固有番号を用いて前記受信側端末がＩＰ接続し、前記送信側端末と接続する段階と、
接続した送信側端末から情報を受信する段階とからなることを特徴とする通信端末を利用した情報通信方法。
【請求項６】
通信管理サーバを介して送信側端末と受信側端末との間で各種情報を通信する情報通信方法において、
前記通信管理サーバは、サブアドレスとこのサブアドレスを共有する送信側端末及び受信側端末の固有番号とをデータベースに登録しており、
送信側端末において、受信側端末に対し情報を送信する操作を行うことにより、送信側端末が前記サブアドレスを用いて前記通信管理サーバにアクセスし自端末の固有番号を送信する段階と、
前記送信側端末からのサブアドレスを用いたアクセスに対して、前記通信管理サーバが送信側端末の固有番号を認証する段階と、
固有番号を認証した送信側端末とサブアドレスを共有する受信側端末を前記データベースを検索して抽出する段階と、
抽出した受信側端末の固有番号を前記送信側端末に送信する段階と、
送信されてきた前記受信側端末の固有番号を用いて前記送信側端末がＩＰ接続し、前記受信側端末と接続する段階と、
接続した受信側端末に情報を送信する段階とからなることを特徴とする通信端末を利用した情報通信方法。
【請求項７】
通信管理サーバを介して送信側端末と受信側端末との間で各種情報を通信する情報通信方法において、
前記通信管理サーバは、サブアドレスとこのサブアドレスを共有する送信側端末及び受信側端末の固有番号とをデータベースに登録するとともに、送信側端末からの操作信号とその操作信号に対応する情報とを関連付けて記憶手段に記憶しており、
送信側端末において、受信側端末に対し情報を送信する操作を行うことにより、送信側端末が前記サブアドレスを用いて前記通信管理サーバにアクセスし自端末の固有番号と操作信号とを送信する段階と、
前記通信管理サーバは、
前記送信側端末からのサブアドレスを用いたアクセスに対して、前記通信管理サーバが送信側端末の固有番号を認証する段階と、
固有番号を認証した送信側端末とサブアドレスを共有する受信側端末を前記データベースを検索して抽出するとともに、送信側端末からの操作信号に対応する情報を前記記憶手段から抽出する段階と、
抽出した受信側端末の固有番号に対し、抽出した情報を送信する段階と、
前記通信管理サーバから送信されてきた情報を受信側端末で受信する段階とからなることを特徴とする通信端末を利用した情報通信方法。
【発明の詳細な説明】
【０００１】
【発明の属する技術分野】
本発明は、通信端末を利用した情報通信システム及び情報通信方法に係り、より詳細には、１台の携帯端末をリモコンとして利用し、他の１台の携帯端末を単なる受信用として利用して各種情報の通信を行う通信端末を利用した情報通信システム及び情報通信方法に関する。
【０００２】
【従来の技術】
近時、携帯電話の普及に伴い、これを利用した種々のシステムが提案されている。
【０００３】
例えば、特開２００１−１２７８９７号公報には、携帯電話を利用したホームコントロールシステムが記載されている。
【０００４】
このホームコントロールシステムは、携帯電話機から受信した遠隔制御情報から被制御装置の機器番号とその制御パラメータとを抽出し、対応するインターフェイスを介して指定された被制御装置を制御し、その動作状態を動作状態メモリに格納するとともに携帯電話機に返送するようになっている。
【０００５】
【発明が解決しようとする課題】
ところで、このような従来のホームコントロールシステムでは、セキュリティを考慮して、携帯電話機から自動発信する際に、ホームコントロールユニットの制御を許可する発信者識別情報（例えば、ＩＤ情報）を使用者が入力するようになっており、このＩＤ情報によって、発信者を識別するようになっている。
【０００６】
つまり、このホームコントロールシステムを利用するためには、使用者は、常にＩＤ情報を覚えておく必要がある。ＩＤ情報は、通常４桁であり、これ以上の桁数にすれば、セキュリティ性は高くなるが、その反面、使用者にとっては記憶しにくくなり、忘れてしまう可能性もある。そのため、ＩＤ情報を利用したセキュリティでは、安全性が充分であるとは必ずしも言えないといった問題があった。
【０００７】
また、上記した従来のホームコントロールシステムでは、同じホームコントロール制御プログラムを搭載した別の携帯電話機があった場合、ＩＤ情報が一致すれば、この携帯電話機からもアクセスが可能になるため、この点でも、セキュリティが十分であるとは言えないといった問題があった。
【０００８】
本発明はかかる問題点を解決すべく創案されたもので、その目的は、使用者によるＩＤ情報が不要であり、かつ、使用者自身が操作できない携帯端末に固有の番号を利用することにより、セキュリティ管理を十分に考慮した通信端末を利用した情報通信システム及び情報通信方法を提供することにある。
【０００９】
【課題を解決するための手段】
本発明の通信端末を利用した情報通信システムは、通信管理サーバを介して送信側となる端末と受信側となる端末との間で各種情報を通信する情報通信システムに適用されるものであって、前記送信側端末は、前記通信管理サーバの特定の場所にアクセスするためのサブアドレスと自端末の固有番号とを記憶する記憶手段と、受信側端末に対して情報を送信する操作を行うことにより、前記サブアドレスを用いて前記通信管理サーバにアクセスし自端末の固有番号を送信する手段とを備えている。
【００１０】
また、前記通信管理サーバは、それぞれの端末に対して、それぞれの固有番号とアクセスのための共通のサブアドレスとを発行する手段と、発行したサブアドレスとこのサブアドレスを共有する送信側端末及び受信側端末の固有番号とをデータベースに登録する手段と、送信側端末から受信側端末に対して情報を送信する操作が行われることにより、前記送信側端末からのサブアドレスを用いたアクセスに対して、送信側端末の固有番号を認証する手段と、固有番号を認証した送信側端末とサブアドレスを共有する受信側端末を前記データベースを検索して抽出し、抽出した受信側端末の固有番号に対して前記送信側端末の固有番号を送信する手段とを備えている。
【００１１】
また、前記受信側端末は、前記通信管理サーバから送信されてきた前記送信側端末の固有番号を用いてＩＰ接続し、前記送信側端末と接続して情報を受信する。
【００１２】
ここで、前記受信側端末には各種設備機器の管理及び制御を行うコントローラが接続されており、前記受信側端末は、前記送信側端末から受信した制御信号である情報を前記コントローラに転送するようになっている。
【００１３】
すなわち、本発明の通信端末を利用した情報通信システム及び情報通信方法によれば、送信側端末から受信側端末に情報を送信する場合、送信側端末は、情報を直接受信側端末に送信するのではなく、通信管理サーバから発行されたサブアドレスを用いて一旦通信管理サーバにアクセスし、自己に発行された固有番号を通信管理サーバに送信する。
【００１４】
通信管理サーバでは、送信されてきた固有番号とサブアドレスとに基づいて、その固有番号の送信側端末がデータベースに記憶されているか否かを確認することによって、送信側端末を認証する。そして、認証の結果、送信側端末の固有番号が登録されている場合には、同じサブアドレスを持つ受信側端末の固有番号を抽出し、その固有番号の受信側端末に対して、アクセスしてきた送信側端末の固有番号を送信する。
【００１５】
受信側端末では、通信管理サーバから送信されてきた送信側端末の固有番号を受信すると、この固有番号に対してＩＰ接続を行い、送信側端末との接続を確立する。
【００１６】
送信側端末では、受信側端末からの接続に対し、情報を送信する。これにより、受信側端末では、この情報を受信する。
【００１７】
また、通信管理サーバでは、送信側端末を認証した結果、送信側端末の固有番号が登録されている場合には、同じサブアドレスを持つ受信側端末の固有番号を抽出し、その固有番号を、アクセスしてきた送信側端末に送信するようにしてもよい。この場合には、送信側端末が、通信管理サーバから送信されてきた受信側端末の固有番号に対してＩＰ接続を行い、受信側端末との接続を確立すると、受信側端末に対して情報を送信する。これにより、受信側端末では、この情報を受信する。
【００１８】
また、通信管理サーバでは、送信側端末を認証した結果、送信側端末の固有番号が登録されている場合には、同じサブアドレスを持つ受信側端末の固有番号を抽出するとともに、送信側端末からの操作信号に対応する情報を抽出し、抽出した受信側端末の固有番号に対し、抽出した情報を送信するようにしてもよい。
【００１９】
このように、本発明の情報通信システム及び方法では、送信側端末から受信側端末に情報を送信する場合、送信側端末は、情報を受信側端末に直接送信するのではなく、通信管理サーバから発行されたサブアドレスを用いて一旦通信管理サーバにアクセスし、通信管理サーバで認証チェックを受けることによってセキュリティチェックを行うようになっている。
【００２０】
すなわち、仮に他の端末から同じサブアドレスを用いてアクセスされてきたとしても、その端末の固有番号は、送信側端末の固有番号とは異なるのでデータベースには登録されておらず、従って通信管理サーバでは、これを無効として扱うことになる。
【００２１】
そして、認証チェックの結果は送信側端末ではなく受信側端末に送信され、受信側端末からコールバックする形で送信側端末に対し情報の受け渡しを要求する。または、認証チェックの結果は送信側端末に送信され、送信側端末から受信側端末にＩＰ接続する形で受信側端末に対し情報の受け渡しを行う。このようなシステムにより、セキュリティチェックが十分に保たれることになる。
【００２２】
【発明の実施の形態】
以下、本発明の実施の形態について、図面を参照して説明する。
【００２３】
図１は、本発明の通信端末を利用した情報通信システムの全体構成図であり、本実施の携帯では、本システムを各種設備機器の遠隔管理・制御システムに適用した例を示している。
【００２４】
本システムは、大別すると、移動通信ネットワーク（以下、携帯電話網という）Ｎ１及びインターネットＮ２上に設置された通信管理サーバ１０と、例えば家庭に設置された各種設備機器４ａ，４ｂを遠隔制御するリモートコントロール機能を有する第１の携帯電話機１と、この第１の携帯電話機１からの制御信号を、携帯電話網Ｎ１を介して直接受信する受信機能（リモート機能）を有する第２の携帯電話機２と、この第２の携帯電話機２により受信された制御信号を受け取って各種設備機器４ａ，４ｂの管理及び制御を行うコントローラ３とからなる。
【００２５】
コントローラ３は、受信機となる第２の携帯電話機２を接続するための通信インターフェイス３２、図示しない通信機能付モデムカードを接続するための通信接続部３３、インターネットＮ２への接続を行うＷｅｂサーバ３４、設備機器４ａの一つである例えば玄関錠の開閉や各種セキュリティ機器及び各種センサの管理／制御を行うＰＬＣ（電灯線通信）コントローラ３５、テレビやビデオ、エアコン等を含む家電製品等の設備機器４ｂを制御する赤外線通信（ＩｒＤＡ）コントローラ３６、これら全体を統括的に制御するマイコン３７を備えている。
【００２６】
通信インターフェイス３２、通信接続部３３、Ｗｅｂサーバ３４及びマイコン３７は内部バスＢ１によって接続されており、マイコン３７とＰＬＣコントローラ３５及びＩｒＤＡコントローラ３６とは、それぞれが例えばＲＳ−２３２Ｃ等のシリアルケーブルＢ２で接続されている。
【００２７】
マイコン３７は、これらシリアルケーブルＢ２を介してＰＬＣコントローラ３５やＩｒＤＡコントローラ３６を制御する。ＰＬＣコントローラ３５やＩｒＤＡコントローラ３６はインテリジェント設計になっており、マイコン３７側からコマンドを送信することにより、各種動作が可能となる。例えば、玄関錠の解錠及び施錠制御や、玄関を含む室内外に取り付けられた各種センサ（ガスセンサ、熱センサ等）からの状況データの取得等を行う。なお、このような住宅の防犯セキュリティや家電製品のコントロール自体が本発明の特徴ではなく、従来より種々の方法が提案されているので、ここでは制御自体の詳細な説明は省略する。
【００２８】
通信接続部３３は、ＩＥＥＥ８０２．１１ｂまたはＢｌｕｅｔｏｏｔｈに対応した通信ハードウェアとなっている。
【００２９】
リモコン側となる第１の携帯電話機１には、リモートコントロール機能を実現するための制御・操作用プログラムが格納されており、リモート側となる第２の携帯電話機２には、受信機能を実現するための制御・操作用プログラムが格納されている。これらプログラムは、第１の携帯電話機１をリモコン側とし、第２の携帯電話機２をリモート側として登録するときに、通信管理サーバ１０からダウンロードされる。
【００３０】
ここで、新規登録の手順について説明する。
【００３１】
本システムを有効に活用するためには、２台の携帯電話機を、１台をリモコン用として、他の１台をリモート用として通信管理サーバ１０に新規登録する必要がある。
【００３２】
ここで、新規登録は、まず、１台の携帯電話機を利用して通信管理サーバ１０にアクセスし、新規登録画面を取得する。この新規登録画面では、ユーザの氏名、住所、携帯電話機の電話番号等の一般的な登録（個人情報の登録）を行う他に、その携帯電話機をリモコン用として使用するのか、リモート用として使用するのかを選択するようになっている。
【００３３】
従って、ユーザは、この新規登録画面に必要事項を入力し、現在接続している携帯電話機をリモコン用またはリモート用のいずれに使用するのかを選択して、通信管理サーバ１０に送信する。
【００３４】
通信管理サーバ１０では、この新規登録により、ユーザに対してＩＤとパスワードを発行する。ユーザは、以後、このＩＤとパスワードを使って登録の変更や追加登録等を行うことになる。
【００３５】
また、通信管理サーバ１０では、接続されている携帯電話機がリモコン用として選択された場合には、その携帯電話機に対して、リモコン用の制御・操作用プログラムをダウンロードする。
【００３６】
携帯電話機は、このリモコン用の制御・操作用プログラムを内部のメモリ（不揮発性メモリ）に格納する。これにより、携帯電話機は、以後、リモコン用の第１の携帯電話機１として機能することになる。
【００３７】
リモコン用の制御・操作用プログラムには、通信管理サーバ１０に接続するためのサブアドレスと、第１の携帯電話機１の固有番号（例えば、製造番号等のユーザ側では変更できない番号）とが含まれている。サブアドレスは、通信管理サーバ１０によって自動的に付与されるようになっている。また、固有番号は、通信管理サーバ１０が携帯電話機と通信を行うことにより、自動的に取得するようになっている。この固有番号の取得方法は、例えば、携帯電話サービスを提供する会社の通信センターでは従来から取得可能であり、本発明に係わる通信管理サーバ１０でも、これと同じ手法を用いて、接続してきた携帯電話機の固有番号を取得している。
【００３８】
一方、ユーザは、リモート用として使用を考えている携帯電話機を利用して通信管理サーバ１０にアクセスし、先程発行されたＩＤとパスワードを入力して、変更または追加登録画面を取得する。ここでは追加登録画面を取得し、その携帯電話機をリモコン用として使用するのか、リモート用として使用するのかの選択を行うことになる。ここで、ユーザがリモート用として使用することを選択すると、通信管理サーバ１０は、その携帯電話機に対して、リモート用の制御・操作用プログラムをダウンロードする。
【００３９】
携帯電話機は、このリモート用の制御・操作用プログラムを内部のメモリ（不揮発性メモリ）に格納する。これにより、携帯電話機は、以後、リモート用の第２の携帯電話機２として機能することになる。
【００４０】
リモート用の制御・操作用プログラムには、通信管理サーバ１０に接続するためのサブアドレス（リモコン用の制御・操作用プログラムに含まれているサブアドレスと同じ）と、第２の携帯電話機２の固有番号（例えば、製造番号等のユーザ側では変更できない番号）とが含まれている。
【００４１】
以上の登録により、通信管理サーバ１０の顧客データベースには、図２に示すようなデータが格納されることになる。すなわち、発行したＩＤとパスワードに対応させて、第１の携帯電話機１の電話番号、サブアドレス（例えば「ａＡＡＡ」）、固有番号（例えば「１１１」）と、第２の携帯電話機の電話番号、サブアドレス（例えば「ａＡＡＡ」）、固有番号（例えば「２２２」）とが格納される。ここで、サブアドレス「ａＡＡＡ」は、両携帯電話機で共通に使用される同じアドレスである。
【００４２】
なお、本実施形態では、通信管理サーバ１０は、携帯電話網Ｎ１とインターネットＮ２とに接続されており、携帯電話機で受け取ったＩＤやパスワードを、インターネットＮ２に接続されたパソコン５でも受け取れるようになっている。そのため、このパソコン５を通じて通信管理サーバ１０にアクセスし、例えばパソコン用の制御・操作用プログラムをダウンロードすることで、パソコン５をリモコンとして使用することも可能な構成となっている。
【００４３】
以上の登録によって本システムが稼働することになる。
【００４４】
次に、上記構成の情報通信システムによってリモコン側である第１の携帯電話機１からリモート側である第２の携帯電話機２を通じてコントローラ３に制御信号を送信する処理動作の実施例について説明する。すなわち、ここでは第１の携帯電話機１にダウンロードされた制御・操作用プログラム、及び第２の携帯電話機２にダウンロードされた制御・操作用プログラムが、ホームコントロール用のプログラムである場合について説明する。
【００４５】
［実施例１］
例えば、玄関錠を解錠する制御信号の入力が「０１♯」の操作である場合、ユーザは、第１の携帯電話機１に格納されている制御・操作用プログラムを起動し、第１の携帯電話機１の表示画面に、例えば図３に示すような操作画面６０を表示する。ユーザは、この操作画面６０の制御コード入力欄６１に、玄関錠を解除するためのコード「０１♯」を入力し、決定ボタン６２を操作する。
【００４６】
これにより、第１の携帯電話機１は、まず、通信管理サーバ１０から発行されたサブアドレス「ａＡＡＡ」を用いて一旦通信管理サーバ１０にアクセスし、自己に発行された固有番号「１１１」を通信管理サーバ１０に送信する。
【００４７】
通信管理サーバ１０では、送信されてきた固有番号「１１１」とサブアドレス「ａＡＡＡ」とに基づいて、その固有番号「１１１」が顧客データベースに記憶されているか否かを確認することによって、第１の携帯電話機１を認証する。
【００４８】
そして、認証の結果、第１の携帯電話機１の固有番号「１１１」が登録されている場合には、同じサブアドレス「ａＡＡＡ」を持つ第２の携帯電話機２の固有番号「２２２」を抽出し、その固有番号「２２２」である第２の携帯電話機２に対して、アクセスしてきた第１の携帯電話機１の固有番号「１１１」を送信する。
【００４９】
第２の携帯電話機２では、通信管理サーバ１０から送信されてきた第１の携帯電話機１の固有番号「１１１」を受信すると、通信管理サーバ１０にアンサーバック信号を返信するとともに、格納されている制御・操作用プログラムを起動し、この固有番号「１１１」に対してＩＰ接続を行い、第１の携帯電話機１との接続を確立する。
【００５０】
第１の携帯電話機１では、第２の携帯電話機２からの接続に対し、「０１♯」で示される制御信号（制御コード）を送信する。第２の携帯電話機２は、この制御信号をそのままコントローラ３に転送する。
【００５１】
これにより、コントローラ３では、「０１♯」で示される制御信号を受け取ると、この制御信号に従い、玄関錠を解錠制御することになる。
【００５２】
このように、本実施例１では、通信管理サーバ１０で認証チェックを行った結果、第１の携帯電話機１の固有番号を第２の携帯電話機２に送信し、第２の携帯電話機２からコールバックする形で第１の携帯電話機１に対し情報の受け渡しを要求するようになっている。これにより、仮に第１の携帯電話機１となるリモコン側の電話機が第三者の使用する不正な携帯電話機からのアクセスであり、仮に不正な手段によってサブアドレス「ａＡＡＡ」と固有番号「１１１」とが送信できたとしても、その携帯電話機自体の固有番号は異なる固有番号（例えば「３３３」等）であるため、第２の携帯電話機２からコールバックされる携帯電話機は、不正な携帯電話機ではなく、あくまで正規の第１の携帯電話機１の固有番号「１１１」に対して行われることになる。これにより、従来に無い優れたセキュリティ管理が可能となっている。
【００５３】
また、ユーザにとっては、第１の携帯電話機１を用いて制御信号を入力し、決定ボタンを操作するといった普通のリモコン操作であり、あたかも第１の携帯電話機１から第２の携帯電話機２に接続して制御信号を送信しているように感じられるため、ユーザにとっても違和感の無い操作が実現されている。
【００５４】
［実施例２］
例えば、玄関錠を解錠する制御信号の入力が「０１♯」の操作である場合、ユーザは、第１の携帯電話機１に格納されている制御・操作用プログラムを起動し、第１の携帯電話機１の表示画面に、例えば図３に示すような操作画面６０を表示する。ユーザは、この操作画面６０の制御コード入力欄６１に、玄関錠を解除するためのコード「０１♯」を入力し、決定ボタン６２を操作する。
【００５５】
これにより、第１の携帯電話機１は、まず、通信管理サーバ１０から発行されたサブアドレス「ａＡＡＡ」を用いて一旦通信管理サーバ１０にアクセスし、自己に発行された固有番号「１１１」を通信管理サーバ１０に送信する。
【００５６】
通信管理サーバ１０では、送信されてきた固有番号「１１１」とサブアドレス「ａＡＡＡ」とに基づいて、その固有番号「１１１」が顧客データベースに記憶されているか否かを確認することによって、第１の携帯電話機１を認証する。
【００５７】
そして、認証の結果、第１の携帯電話機１の固有番号「１１１」が登録されている場合には、同じサブアドレス「ａＡＡＡ」を持つ第２の携帯電話機２の固有番号「２２２」を抽出し、その固有番号「２２２」を、アクセスしてきた第１の携帯電話機１に送信する。
【００５８】
第１の携帯電話機１は、通信管理サーバ１０から送信されてきた第２の携帯電話機２の固有番号「２２２」を受信すると、通信管理サーバ１０にアンサーバック信号を返信するとともに、この固有番号「２２２」に対してＩＰ接続を行い、第２の携帯電話機２との接続を確立し、第２の携帯電話機２に対して制御信号「０１♯」を送信する。第２の携帯電話機２は、第１の携帯電話機１からのＩＰ接続に対して接続を確立すると、制御・操作用プログラムを起動し、送信されてくる制御信号をそのままコントローラ３に転送する。
【００５９】
これにより、コントローラ３では、「０１♯」で示される制御信号を受け取ると、この制御信号に従い、玄関錠を解錠制御することになる。
【００６０】
このように、本実施例２では、通信管理サーバ１０で認証チェックを行った結果、第２の携帯電話機２の固有番号を第１の携帯電話機１に送信し、第１の携帯電話機１からＩＰ接続する形で第２の携帯電話機２を呼び出し、制御信号の受け渡しを行うようになっている。これにより、仮に第１の携帯電話機１となるリモコン側の電話機が第三者の使用する不正な携帯電話機からのアクセスであり、仮に不正な手段によってサブアドレス「ａＡＡＡ」と固有番号「１１１」とが送信できたとしても、その携帯電話機自体の固有番号は異なる固有番号（例えば「３３３」等）であるため、通信管理サーバ１０が固有番号「２２２」を送信する相手は、不正な携帯電話機ではなく、あくまで正規の第１の携帯電話機１の固有番号「１１１」に対して行われることになる。これにより、従来に無い優れたセキュリティ管理が可能となっている。
【００６１】
［実施例３］
上記実施例１及び実施例２では、制御信号（制御コード）が第１の携帯電話機１に格納されている制御・操作用プログラムに組み込まれており、従って、第１の携帯電話機１から第２の携帯電話機２に対し制御信号（制御コード）が直接送信される構成となっているが、本実施例３では、制御信号（制御コード）が通信管理サーバ１０に格納されており、通信管理サーバ１０を介して第２の携帯電話機２に制御信号（制御コード）を送信する構成となっている。
【００６２】
そのため、本実施例３では、図４に示すように、第１の携帯電話機１で操作される操作信号と、その操作信号に対応する制御信号（制御コード）とが関連付けられて情報データベースに格納されている。図４では、例えば操作信号「０１♯」は玄関錠を解錠する制御信号（制御コード）に対応し、操作信号「０２♯」は玄関錠を施錠する制御信号（制御コード）に対応している。
【００６３】
ユーザは、第１の携帯電話機１に格納されている制御・操作用プログラムを起動し、第１の携帯電話機１の表示画面に、例えば図３に示すような操作画面６０を表示する。ユーザは、この操作画面６０の制御コード入力欄６１に、例えば玄関錠を解除するためのコード「０１♯」を入力し、決定ボタン６２を操作する。
【００６４】
これにより、第１の携帯電話機１は、まず、通信管理サーバ１０から発行されたサブアドレス「ａＡＡＡ」を用いて通信管理サーバ１０にアクセスし、自己に発行された固有番号「１１１」と「０１♯」の操作信号とを通信管理サーバ１０に送信する。
【００６５】
通信管理サーバ１０では、送信されてきた固有番号「１１１」とサブアドレス「ａＡＡＡ」とに基づいて、その固有番号「１１１」が顧客データベースに記憶されているか否かを確認することによって、第１の携帯電話機１を認証する。
【００６６】
そして、認証の結果、第１の携帯電話機１の固有番号「１１１」が登録されている場合には、同じサブアドレス「ａＡＡＡ」を持つ第２の携帯電話機２の固有番号「２２２」を顧客データベースから抽出するとともに、第１の携帯電話機１からの操作信号「０１♯」に対応する制御信号（制御コード）を情報データベースから抽出し、その固有番号「２２２」である第２の携帯電話機２に対して、第１の携帯電話機１の固有番号「１１１」と抽出した制御信号（制御コード）とを送信する。
【００６７】
第２の携帯電話機２では、通信管理サーバ１０から送信されてきた第１の携帯電話機１の固有番号「１１１」を受信すると、通信管理サーバ１０にアンサーバック信号を返信するとともに、格納されている制御・操作用プログラムを起動し、次に送信されてくる「０１♯」で示される制御信号（制御コード）を受信し、そのままコントローラ３に転送する。
【００６８】
これにより、コントローラ３では、「０１♯」で示される制御信号（制御コード）を受け取ると、この制御信号（制御コード）に従い、玄関錠を解錠制御することになる。
【００６９】
このように、本実施例３では、通信管理サーバ１０で認証チェックを行った後、第１の携帯電話機１からの操作信号に対応する制御信号（制御コード）を第２の携帯電話機２に送信するようになっている。また、ユーザにとっては、第１の携帯電話機１を用いて操作信号を入力し、決定ボタンを操作するといった普通のリモコン操作であり、あたかも第１の携帯電話機１から第２の携帯電話機２に接続して制御信号を送信しているように感じられるため、ユーザにとっても違和感の無い操作が実現されている。
【００７０】
【発明の効果】
以上説明したように、本発明の情報通信システム及び方法によれば、通信管理サーバで認証チェックを行った結果、送信側端末の固有番号を受信側端末に送信し、受信側端末からコールバックする形で送信側端末に対し情報の受け渡しを要求するようになっている。これにより、仮に送信側端末が第三者の使用する不正な端末からのアクセスであり、仮に不正な手段によってサブアドレスと固有番号とが送信できたとしても、その端末自体の固有番号は異なる固有番号であるため、受信側端末からコールバックされる端末は、不正な端末ではなく、あくまで正規の送信側端末の固有番号に対して行われることになる。これにより、従来に無い優れたセキュリティ管理が可能となる。また、ユーザにとっては、送信側端末を用いた普通のリモコン操作であるため、違和感の無い操作が実現されている。
【００７１】
また、本発明の情報通信システム及び方法によれば、通信管理サーバで認証チェックを行った結果、受信側端末の固有番号を送信側端末に送信し、送信側端末からＩＰ接続する形で受信側端末を呼び出し、情報の受け渡しを行うようになっている。これにより、仮に送信側端末が第三者の使用する不正な端末からのアクセスであり、仮に不正な手段によってサブアドレスと固有番号とが送信できたとしても、その端末自体の固有番号は異なる固有番号であるため、通信管理サーバが固有番号を送信する相手は、不正な端末ではなく、あくまで正規の送信側端末の固有番号に対して行われることになる。これにより、従来に無い優れたセキュリティ管理が可能となる。
【００７２】
また、本発明の情報通信システム及び方法によれば、通信管理サーバで認証チェックを行った結果、送信側端末の固有番号が登録されている場合には、同じサブアドレスを持つ受信側端末の固有番号を抽出するとともに、送信側端末からの操作信号に対応する情報を抽出し、抽出した受信側端末の固有番号に対し、抽出した情報を送信するようになっている。これにより、仮に送信側端末が第三者の使用する不正な端末からのアクセスであり、仮に不正な手段によってサブアドレスと固有番号とが送信できたとしても、その端末自体の固有番号は異なる固有番号であるため、通信管理サーバではこれを拒否することができ、従来に無い優れたセキュリティ管理が可能となる。また、情報は通信管理サーバから受信側端末に送信されるため、送信側端末及び受信側端末の通信費等も軽減される。
【図面の簡単な説明】
【図１】本発明の通信端末を利用した情報通信システムの全体構成図である。
【図２】顧客データベースの構成例を示す説明図である。
【図３】第１の携帯電話機の操作画面例を示す説明図である。
【図４】情報データベースの構成例を示す説明図である。
【符号の説明】
１　第１の携帯電話機
２　第２の携帯電話機
３　コントローラ
４ａ，４ｂ　設備機器
５　パソコン
１０　通信管理サーバ
Ｎ１　移動通信ネットワーク（携帯電話網）
Ｎ２　インターネット
【図１】
2004040683.tif 000003
【図２】
2004040683.tif 000004
【図３】
2004040683.tif 000005
【図４】
2004040683.tif 000006